(57)【要約】【解決手段】飲料を収容する容器本体１と、前記容器本体１の上面部分に嵌着される外蓋３とを備えている。外蓋３には、注ぎ穴４と注出口５とが形成されている。前記注ぎ穴４を閉じる中栓６ａと前記注出口５を閉じる注出口カバー６ｂとを有する作動部材６を、前記外蓋３に対して揺動可能に設ける。前記作動部材６上で回動可能なカバー部材７を備えている。カバー部材７には、２つの押下片７ａ，７ｂを設ける。【効果】カバー部材７を回動操作するだけで、少ない力でもスムーズに、かつ簡単な操作で注ぎ穴４と注出口５とを開放することができる。したがって、容器本体１を傾けるだけで注出口５から容器本体１内の飲料を極めて簡単に注出することができる。カバー部材７の回動前は、１つの押下片７ａが前記作動部材６の前側を押し、前記注ぎ穴４を前記中栓６ａで、前記注出口５を前記注出口カバー６ｂでそれぞれ閉じるので、注出できない。【選択図】図５
2013121848.tif 000002
【特許請求の範囲】
【請求項１】
上面部分を開放して飲料を収容するようにした容器本体と、前記容器本体の上面部分に嵌着するものであって注ぎ穴と注出口とを有する外蓋とを備え、前記注ぎ穴を閉じる中栓と前記注出口を閉じる注出口カバーとを有する作動部材を、前記外蓋に対して揺動可能に備えるとともに、前記作動部材上で回動可能であって２つの押下片を有するカバー部材を備え、カバー部材の回動前においては１つの押下片が前記作動部材の前側を押し、前記注ぎ穴を前記中栓で、前記注出口を前記注出口カバーでそれぞれ閉じ、カバー部材の回動後においてはもう１つの押下片が前記作動部材の後側の突片を押し下げ、前記注ぎ穴を閉じていた中栓と前記注出口を閉じていた注出口カバーを上昇させて容器本体内の飲料を注出させ得るようにしたことを特徴とする飲料容器。
【請求項２】
カバー部材の回動前において、１つの押下片が作動部材の一部分である中栓の真上部分を押すことを特徴とする請求項１記載の飲料容器。
【請求項３】
作動部材の後側の突片が、作動部材の中心線に対して左右２つ設けられていることを特徴とする請求項１記載の飲料容器。
【請求項４】
カバー部材を作動部材上で所定角度回動させた位置で、カバー部材と外蓋との係合が解かれ、カバー部材が外蓋に対して着脱自在となることを特徴とする請求項１記載の飲料容器。
【請求項５】
カバー部材に操作摘みを設けたことを特徴とする請求項１、２、４のいずれかに記載の飲料容器。
【発明の詳細な説明】
【技術分野】
【０００１】
本発明は、冷水筒のような各種の飲料を収容するための容器に関し、さらに詳しくは、カバー部材の回動操作により容器本体の注出口を開閉させ得るようにした容器に関するものである。
【背景技術】
【０００２】
上面部分を開放して飲料を収容するようにした容器本体と、前記容器本体の上面部分に嵌着するものであって注ぎ穴と注出口とを有する外蓋とを備えた容器は、従来から広く知られている。
【０００３】
この形式の容器の多くのものは、外蓋に揺動可能に注出蓋を枢支させ、この注出蓋の後部を手指で押し下げて注ぎ穴を開放し、注出口から容器本体内の飲料を注出し得るように構成されている（例えば、特許文献１参照）。
【先行技術文献】
【特許文献】
【０００４】
【特許文献１】特開２００９−１３２４２１号公報
【発明の概要】
【発明が解決しようとする課題】
【０００５】
本発明は、このような操作で注ぎ穴を開放するのではなく、少ない力でもスムーズに、かつ簡単な操作で注ぎ穴を開放し、注出口から容器本体内の飲料を注出することができるように工夫したものである。
【課題を解決するための手段】
【０００６】
本発明による飲料容器は、上面部分を開放して飲料を収容するようにした容器本体と、前記容器本体の上面部分に嵌着するものであって注ぎ穴と注出口とを有する外蓋とを備え、前記注ぎ穴を閉じる中栓と前記注出口を閉じる注出口カバーとを有する作動部材を、前記外蓋に対して揺動可能に備えるとともに、前記作動部材上で回動可能であって２つの押下片を有するカバー部材を備え、カバー部材の回動前においては１つの押下片が前記作動部材の前側を押し、前記注ぎ穴を前記中栓で、前記注出口を前記注出口カバーでそれぞれ閉じ、カバー部材の回動後においてはもう１つの押下片が前記作動部材の後側の突片を押し下げ、前記注ぎ穴を閉じていた中栓と前記注出口を閉じていた注出口カバーを上昇させて注出口から容器本体内の飲料を注出させ得るようにしたことを特徴とするものである。
【０００７】
このように、本発明においては、カバー部材を回動操作するだけで、少ない力でもスムーズに、かつ簡単な操作で注ぎ穴を開放することができるので、容器本体を傾けるだけで注出口から容器本体内の飲料を極めて簡単に注出することができる。
【０００８】
そして、カバー部材の回動前においては１つの押下片が前記作動部材の前側を押し、前記注ぎ穴を前記中栓で、前記注出口を前記注出口カバーでそれぞれ閉じるので、容器本体を横置きすることができ、容器本体を横置きしても容器本体内の飲料がこぼれ出るおそれがない。
【０００９】
カバー部材の回動前において、１つの押下片が作動部材の一部分である中栓の真上部分を押すようにすることが好ましい。このようにした場合には、構成パーツの剛性を高めるとか、押さえ付ける力を大きくする必要がないなど、飲料容器としてのスペックアップを図ることができる。
【００１０】
作動部材の後側の突片が、作動部材の中心線に対して左右２つ設けられていることが好ましい。このようにした場合には、カバー部材を左右どちらに回動させても良いという極めて簡単な操作で、注ぎ穴を開放することができるので、極めて便利である。
【００１１】
カバー部材を作動部材上で所定角度回動させた位置で、カバー部材と外蓋との係合が解かれ、カバー部材が外蓋に対して着脱自在となるようにしておくのが良い。このようにした場合には、カバー部材を作動部材上で所定角度回動させた位置で、カバー部材を極めて簡単に外蓋から外し、逆に極めて簡単に外蓋にセットできるので、分解、清掃に好都合である。
【００１２】
カバー部材に操作摘みを設けておくと良い。このようにした場合には、操作摘みを摘むだけの簡単な操作で、より少ない力でもスムーズにカバー部材を回動させることができる。
【発明の効果】
【００１３】
請求項１記載の発明によれば、カバー部材を回動操作するだけで、少ない力でもスムーズに、かつ簡単な操作で注ぎ穴を開放することができるので、容器本体を傾けるだけで注出口から容器本体内の飲料を極めて簡単に注出することができる。
【００１４】
また、請求項１記載の発明によれば、カバー部材の回動前においては１つの押下片が前記作動部材の前側を押し、前記注ぎ穴を前記中栓で、前記注出口を前記注出口カバーでそれぞれ閉じるので、容器本体を横置きすることができ、容器本体を横置きしても容器本体内の飲料がこぼれ出るおそれがない。
【００１５】
請求項２記載の発明によれば、構成パーツの剛性を高めるとか、押さえ付ける力を大きくする必要がないなど、飲料容器としてのスペックアップを図ることができる。
【００１６】
請求項３記載の発明によれば、カバー部材を左右どちらに回動させても良いという極めて簡単な操作で、注ぎ穴を開放することができるので、極めて便利である。
【００１７】
請求項４記載の発明によれば、カバー部材を作動部材上で所定角度回動させた位置で、カバー部材を極めて簡単に外蓋から外し、逆に極めて簡単に外蓋にセットできるので、分解、清掃に好都合である。
【００１８】
請求項５記載の発明によれば、操作摘みを摘むだけの簡単な操作で、少ない力でもスムーズにカバー部材を回動させることができる。
【図面の簡単な説明】
【００１９】
【図１】本発明による飲料容器の一例を示す斜視図である。
【図２】同飲料容器の平面図である。
【図３】カバー部材が図２の位置にある場合の飲料容器全体の断面図である。
【図４】カバー部材を図２の位置から左右いずれかの方向に回動させた状態を示す平面図で、(a)は図２の位置から右側に、(b)は図２の位置から左側に回動させた場合を示す。
【図５】カバー部材が図４(a)、(b)の位置にある場合の飲料容器全体の断面図である。
【図６】カバー部材を図２の位置から、あるいは、図４(a)、(b)の位置からさらに所定角度回動させた状態を示す平面図で、(a)は図２の位置から、あるいは、図４(a)の位置から右側に、(b)は図２の位置から、あるいは、図４(b)の位置から左側に回動させた場合を示す。
【発明を実施するための形態】
【００２０】
本発明による飲料容器の一例を、図面に基いて詳細に説明する。
ここに例示する飲料容器は、上面部分を開放して飲料を収容するようにした容器本体１と、前記容器本体１の上面部分に嵌着される内蓋２を備えており、この内蓋２に外蓋３が螺着してある。外蓋３には注ぎ穴４と注出口５とが形成されている。
【００２１】
そして、前記注ぎ穴４を閉じる中栓６ａと前記注出口５を閉じる注出口カバー６ｂとを有する作動部材６を、前記外蓋３に対して揺動可能に備えるとともに、前記作動部材６上で回動可能であって２つの押下片７ａ、７ｂを有するカバー部材７が被せられている。作動部材６を外蓋３に対して揺動可能とするために、ここでは、図２、図３に示すように、作動部材６の左右から枢軸６ｃを突出させ、左右２つの枢軸６ｃ、６ｃを外蓋３で軸支した場合を例示する。
【００２２】
カバー部材７が図２、図３に示す回動前においては、前側に位置する１つの押下片７ａが図３に示すように前記作動部材６の前側を押し、前記注ぎ穴４を前記中栓６ａで、前記注出口５を前記注出口カバー６ｂでそれぞれ閉じる。このとき、カバー部材７の後側に位置するもう１つの押下片７ｂは、図３に示すように前記作動部材６の後側とは繋がりをもたない位置にある。
【００２３】
ここでは、前側に位置する１つの押下片７ａが作動部材６の一部分である中栓６ａの真上部分を押すようにした場合を例示する。このようにした場合には、構成パーツの剛性を高めるとか、押さえ付ける力を大きくする必要がないなど、飲料容器としてのスペックアップを図ることができる。
【００２４】
一方、カバー部材７が図２の位置から図４(a)、(b)に示す回動後においては、後側に位置するもう１つの押下片７ｂが図５に示すように前記作動部材６の後側の突片６ｄを押し下げ、前記注ぎ穴４を閉じていた中栓６ａと前記注出口５を閉じていた注出口カバー６ｂを上昇させて注出口５から容器本体１内の飲料を注出させ得るようになる。このとき、カバー部材７の前側に位置する１つの押下片７ａは、図５に示すように、前記作動部材６の前側とは繋がりをもたない位置にある。
【００２５】
図５に示すように、注ぎ穴４を閉じていた中栓６ａと注出口５を閉じていた注出口カバー６ｂが上昇し、注ぎ穴４が開放されれば、容器本体１を傾けるだけで注ぎ穴４を経て容器本体内の飲料を注出口５から極めて簡単に注出することができる。このとき、容器本体１に設けられているハンドル８を握れば、容器本体１を傾けやすいのみならず、容器本体１内の飲料の注出を極めて容易に行うことができる。
【００２６】
このように、カバー部材７を回動操作するだけで、少ない力でもスムーズに、かつ簡単な操作で注ぎ穴４を開放することができるので、容器本体１を傾けるだけで注出口５から容器本体１内の飲料を極めて簡単に注出することができる。
【００２７】
そして、カバー部材７の回動前においては、図３に示すように前側の１つの押下片７ａが前記作動部材６の前側、特に、作動部材６の一部分である中栓６ａの真上部分を押し、前記注ぎ穴４を前記中栓６ａで、前記注出口５を前記注出口カバー６ｂでそれぞれ閉じるので、容器本体１を横置きすることができ、容器本体１を横置きしても容器本体１内の飲料がこぼれ出るおそれがない。
【００２８】
ここでは、カバー部材７の回動前において、前側の１つの押下片７ａが前記作動部材６の一部分である中栓６ａの真上部分を押すようにしたから、構成パーツの剛性を高めるとか、押さえ付ける力を大きくする必要がないなど、飲料容器としてのスペックアップを図ることができる。
【００２９】
なお、注出口カバー６ｂの上下動により注出口５を開閉させるようにしてあるから、注出口５の開閉を目視することができるのみならず、注出口カバー６ｂで注出口５を閉じることによって、注出口５からほこりが進入するのを阻止して飲料容器内を、特に、その中に収容されている飲料を衛生に保つのに役立つ。
【００３０】
前記カバー部材７には、その外周方向に突出するごとく操作摘み７ｃが設けてあり、この操作摘み７ｃを摘むだけの簡単な操作で、より少ない力でもスムーズにカバー部材７を回動させることができる。ここでは、図２に示すように、操作摘み７ｃがカバー部材６の中心を通る線上にある場合に、前側に位置する１つの押下片７ａが図３に示すように前記作動部材６の前側を押し、前記注ぎ穴４を前記中栓６ａで、前記注出口５を前記注出口カバー６ｂでそれぞれ閉じるようにしてある。したがって、操作摘み７ｃがこの位置にあれば、飲料容器がロック状態にあることを認識できる。
【００３１】
一方、カバー部材７が図２の位置から図４(a)、(b)に示す回動後においては、後側に位置するもう１つの押下片７ｂが図５に示すように前記作動部材６の後側の突片６ｄを押し下げ、前記注ぎ穴４を閉じていた中栓６ａと前記注出口５を閉じていた注出口カバー６ｂを上昇させて容器本体１内の飲料を注出させ得るようになる。したがって、操作摘み７ｃがこのいずれかの位置にあれば、飲料容器がオープン（注ぎ得る）状態にあることを認識できる。
【００３２】
ここでは、カバー部材７に表示窓９が設けてあり、この表示窓９を通して外蓋３の上面に表示された「ｏｐｅｎ」ないし「そそぐ」の文字と「ｃｌｏｓｅ」ないし「しめる」の文字を視認できるようにしてある。したがって、操作摘み７ｃが図２の位置にあってこの表示窓９を通して「ｃｌｏｓｅ」ないし「しめる」の文字を視認すれば、また、操作摘７ｃが図４(a)、(b)の位置にあってこの表示窓９を通して「ｏｐｅｎ」ないし「そそぐ」の文字を視認すれば、飲料容器が注出可能であるか否かを容易に確認することができる。
【００３３】
また、ここでは、図２に示すように、作動部材６の後側の突片６ｄが作動部材６の中心線およびカバー部材７の中心を通る線（図２において符号Ｓで示す）に対して左右２つ設けられている。したがって、カバー部材７を図２の位置から図４(a)、(b)に示すように左右どちらに回動させても良いという極めて簡単な操作で、注ぎ穴４と注出口５を開放することができるので、極めて便利である。
【００３４】
さらに、ここでは、カバー部材７を図２の位置から作動部材６上で図６(a)、(b)に示す位置まで所定角度回動させた位置において、また、カバー部材７を図４(a)、(b)に示す位置から図６(a)、(b)に示す位置まで所定角度回動させた位置において、カバー部材７と外蓋３との係合が解かれ、カバー部材７が外蓋３に対して着脱自在となるようにしてある。したがって、カバー部材７を図６(a)、(b)に示すように作動部材６上で所定角度回動させた位置で、カバー部材７を極めて簡単に外蓋３から外し、逆に極めて簡単に外蓋３にセットでき、分解、清掃に好都合である。
【００３５】
カバー部材７を図２の位置から作動部材６上で図６(a)、(b)に示す位置まで所定角度回動させた位置で、また、カバー部材７を図４(a)、(b)に示す位置から図６(a)、(b)に示す位置まで所定角度回動させた位置で、カバー部材７と外蓋３との係合が解かれ、カバー部材７が外蓋３に対して着脱自在となるようにするためには、例えば、図３、図５に示すように、外蓋３の中央に形成された円筒軸３ａに、カバー部材７の中心軸７ｄを挿着しておき、カバー部材７を所定角度回動させた位置においてカバー部材７と外蓋３との係合を解くことができるように凹凸嵌合する場合を挙げることができる。なお、前記作動部材６は外蓋３の上記円筒軸３ａの上から嵌め込んである。
【００３６】
ここでは、カバー部材７と外蓋３との係合を解くことができる位置において、前記表示窓９を通して外蓋３の上面に表示された「ｓｅｔ」ないし「つける・はずす」の文字を視認できるようにしてある。したがって、操作摘み７ｃが図６(a)、(b)の位置にあるとき、この表示窓９を通して「ｓｅｔ」ないし「つける・はずす」の文字を視認できれば、カバー部材７の外蓋３に対する着脱ポイント、すなわち、飲料容器のカバー部材７を外蓋３から外し、逆に外蓋３にセットできることを容易に確認することができる。
【００３７】
図３、図５において、符号１０は前記外筒３の円筒軸３ａの下端部分に嵌着した軸パッキン、符号１１は外蓋３の環状溝内に嵌め込むとともに内蓋２の上周縁部分との間に位置させた環状のパッキンである。軸パッキン１０およびパッキン１１をシリコンゴム製とすれば、飲料容器の密封性を向上させることができる。ただし、両者の材質はシリコンゴムのみに限定されるものではなく、シリコンゴム以外の柔軟な樹脂などからなるものとすることもできる。
【００３８】
容器本体１および内蓋２を例えばＡＳ樹脂製、注出口カバー６ｂおよびカバー部材７を例えばＡＢＳ樹脂製、外蓋３およびハンドル８を例えばＰＰ製とすることができる。
なお、容器本体１、内蓋２、外蓋３、注出口カバー６ｂなどを上述したような樹脂製とした場合には、熱湯や熱いお茶その他の熱い飲料を入れても容器本体１、内蓋２の樹脂や、熱い飲料が触れる可能性のある外蓋３、注出口カバー６ｂなどの熱に対する耐久性を向上させることができる。ただし、これらの部材の材質は上述した樹脂のみに限定されるものではなく、適宜選択して使用することができる。
【符号の説明】
【００３９】
１…容器本体、３…外蓋、４…注ぎ穴、５…注出口、６…作動部材、６ａ…中栓、６ｂ…注出口カバー、６ｄ…突片、７…カバー部材、７ａ，７ｂ…押下片、７ｃ…操作摘み。
【図１】
2013121848.tif 000003
【図２】
2013121848.tif 000004
【図３】
2013121848.tif 000005
【図４】
2013121848.tif 000006
【図５】
2013121848.tif 000007
【図６】
2013121848.tif 000008